(57)【要約】【課題】照明装置ユニットの保守点検や清掃の作業の際に、かご室の天井部の上に作業員が乗り込んだり点検口を開くような危険で面倒な作業を要することなく、かご室内で容易に能率よくかつ安全にその作業を進めることができるエレベータのかご室照明装置を提供する。【解決手段】かご室１に、ワイヤ２８の巻取り、繰り出しが可能なリール機構２４を設け、このリール機構２４の駆動源としてかご室１に設けられた既設機器である換気装置２０モータ３０を用い、照明装置ユニット１０は、その一端部をヒンジ部材４１を介して天井部に連結し、他端部をリール機構２４のワイヤ２８の一端部に連結して天井部の下に水平に支持し、モータ３０によりリール機構２４を駆動してワイヤ２８を繰出すことにより照明装置ユニット１０をヒンジ部材４１を支点にして天井部の下方に回動させることが可能となっている。【選択図】    図１
2007084278.tif 000002
【特許請求の範囲】
【請求項１】
エレベータのかご室に、線条体の巻取り、繰り出しが可能なリール機構を設け、このリール機構の駆動源としてかご室に設けられた既設機器の駆動源を用い、かご室内の天井部に配設される照明装置ユニットは、その一端部をヒンジ部材を介して前記天井部に連結し、他端部を前記リール機構の線条体の一端部に連結して前記天井部の下に水平に支持し、前記駆動源により前記リール機構を駆動して前記線条体を繰出すことにより前記照明装置ユニットを前記ヒンジ部材を支点にして前記天井部の下方に回動させることが可能なことを特徴とするエレベータのかご室照明装置。
【請求項２】
前記かご室を構成する側板のうちの前記照明装置ユニットが下方へ回動する際に当接する側の側板は、その当接に応じてかご室の天井板からその外方側へ離脱可能となっていることを特徴とする請求項１に記載のエレベータのかご室照明装置。
【請求項３】
前記かご室の天井部には一方向に長いレールが設けられ、このレールに前記ヒンジ部材がスライド自在に結合され、前記照明装置ユニットが下方に回動する際に前記ヒンジ部材を介して照明装置ユニットが前記レールに沿って移動することが可能なことを特徴とする請求項１に記載のエレベータのかご室照明装置。
【請求項４】
前記照明装置ユニットは照明機器を備える主ケースと、この主ケースに対して伸縮移動可能に結合された可動ケースとで構成され、前記可動ケースを主ケースに対して縮小移動させることにより、その可動ケースと対向する側のかご室の側板とその可動ケースとの間に、照明装置ユニットの下方への回動範の許容範囲を拡大するための所要間隔を確保することが可能なことを特徴とする請求項１に記載のエレベータのかご室照明装置。
【請求項５】
前記照明装置ユニットは照明機器を備える主ケースと、この主ケースを伸縮移動可能に収納した保持ケースとで構成され、前記保持ケースが前記ヒンジ部材と線条体とでかご室の天井部の下に水平に支持され、前記保持ケースを主ケースと一体的に前記ヒンジ部材を支点にして前記天井部の下方に回動させてその保持ケースから主ケースを下方に伸長させて突出させること可能なことを特徴とする請求項１ないし３のいずれかに記載のエレベータのかご室照明装置。
【請求項６】
前記照明装置ユニットは照明機器を備える主ケースと、この主ケースを着脱可能に収納した保持ケースとで構成され、前記保持ケースが前記ヒンジ部材と線条体とでかご室の天井部の下に水平に支持され、前記保持ケースを主ケースと一体的に前記ヒンジ部材を支点にして前記天井部の下方に回動させてその保持ケースから主ケースを取り出すことが可能なことを特徴とする請求項１ないし３のいずれかに記載のエレベータのかご室照明装置。
【請求項７】
前記かご室の天井部には一方向に沿って長さの長いレールが設けられ、このレールに前記ヒンジ部材がスライド自在に結合され、前記照明装置ユニットが下方に回動する際に前記ヒンジ部材を介して照明装置ユニットが前記レールに沿って移動することが可能であるとともに、回動させた前記照明装置ユニットをその姿勢で前記長さの長いレールに沿って移動させることが可能なことを特徴とする請求項１、６または７に記載のエレベータのかご室照明装置。
【請求項８】
前記照明装置ユニットには、折り畳み可能な足場部材が挿脱可能に設けられ、照明装置ユニットを下方に回動した状態でその足場部材を引き出し、展開して作業用の足場として用いることが可能なことを特徴とする請求項１ないし８のいずれかに記載のエレベータのかご室照明装置。
【発明の詳細な説明】
【技術分野】
【０００１】
この発明は、エレベータのかご室の天井部に設けられる照明装置に関する。
【背景技術】
【０００２】
図１２はエレベータのかご室１を透視的に見た構成図であり、かご室１はかご床２を底面とし、その上方側周囲を側板３ａ，３ｂ，３ｃで囲み、上部を天井板４で覆ってなる。かご室１の前面はドア５を備える出入口６として構成され、この出入口６の脇に行先階などを登録するボタン類を備えるかご室操作盤７が設けられている。
【０００３】
天井板４の下面には、かご室１内を照明する照明装置ユニット１０が設けられている。この照明装置ユニット１０は照明ケース１１を備え、この照明ケース１１内に照明機器としての例えば蛍光ランプ１２が設けられている。照明ケース１１の下面には、各蛍光ランプ１２に対向する部分に開口１４が形成され、これら開口１４にアクリル板などからなる透光性を有する照光板１５が設けられ、各蛍光ランプ１２の光が各照光板１５を通してかご室１内に照射される。
【０００４】
照明装置ユニット１０はかご室１の天井板４の下面にボルト等の締結具で固定されている。かご室１の天井板４には複数の点検口１８が形成され、これら点検口１８にはカバー１９が設けられ、これらカバー１９を開くことによりかご室１の上から点検口１８を通して照明装置ユニット１０の内部を点検することができるようになっている。
【０００５】
また、天井板４の上には換気装置２０が設けられ、これら換気装置２０はファンを駆動する駆動源を有し、そのファンを駆動源で回転させてかご室１内の換気を図るようにしている。
【０００６】
ところで、照明装置ユニット１０の照明機器としての蛍光ランプ１２には寿命があり、したがって定期的にその点検や交換が必要となる。また、照光板１５に塵埃等が付着して汚れると、照度の低下や意匠性の低下につながり、したがってこの照光板１５を定期的に清掃する必要がある。
【０００７】
照明装置ユニット１０に対する保守点検や清掃の際には、作業員がかご室１の上に乗り込み、天井板４の点検口１８を開き、かご室１の上から点検口１８を通して作業を行なうか、あるいはかご室１内に脚立等の足場を設置し、この足場に作業員が乗って照光板１５をずらして照明ケース１１の開口１４を開き、この開口１４を通して作業を行なうようにしている。
【発明の開示】
【発明が解決しようとする課題】
【０００８】
しかしながら、照明装置ユニット１０の保守点検や清掃の際に、作業員がかご室１の天井部の上に乗り込み、いちいち点検口１８を開いてその作業を行なうのでは作業が面倒で能率が低下し、また点検口１８の大きさにも限りがあり、かご室１の上の作業空間も狭く、このため作業能率がより一層低下し、さらにかご室１の天井部の上に作業員が乗り込むため、転落などの危険性も生じる。
【０００９】
一方、かご室１内で作業を行なう際には、照明装置ユニット１０が高所に位置するから長さの長い大型の脚立など用意して設置し、それを足場にして高所で作業を行なわなければならず、このため作業が面倒で、やはり作業能率が低下する。
【００１０】
ところで、照明装置ユニットをワイヤで吊下げてかご室内の天井部に支持し、そのワイヤを駆動する駆動源をかご室に別途設け、保守点検や清掃の際にその駆動源でワイヤを駆動して照明装置ユニットを下げ降ろすようにすることも考えられるが、駆動源を新たに設けるとなると、その設置場所の確保が難しく、また電源の確保のための配線などの付随品が増加し、コストが嵩んでしまう。
【００１１】
この発明はこのような点に着目してなされたもので、その目的とするところは、照明装置ユニットの保守点検や清掃の作業の際に、かご室の天井部の上に作業員が乗り込んだり点検口を開くような危険で面倒な作業を要することなく、かご室内で容易に能率よくかつ安全にその作業を進めることができるエレベータのかご室照明装置を提供することにある。
【課題を解決するための手段】
【００１２】
請求項１の発明は、エレベータのかご室に、線条体の巻取り、繰り出しが可能なリール機構を設け、このリール機構の駆動源としてかご室に設けられた既設機器の駆動源を用い、かご室内の天井部に配設される照明装置ユニットは、その一端部をヒンジ部材を介して前記天井部に連結し、他端部を前記リール機構の線条体の一端部に連結して前記天井部の下に水平に支持し、前記駆動源により前記リール機構を駆動して前記線条体を繰出すことにより前記照明装置ユニットを前記ヒンジ部材を支点にして前記天井部の下方に回動させることが可能なことを特徴としている。
【００１３】
請求項２の発明は、前記かご室を構成する側板のうちの前記照明装置ユニットが下方へ回動する際に当接する側の側板が、その当接に応じてかご室の天井板からその外方側へ離脱可能となっていることを特徴としている。
【００１４】
請求項３の発明は、前記かご室の天井部には一方向に長いレールが設けられ、このレールに前記ヒンジ部材がスライド自在に結合され、前記照明装置ユニットが下方に回動する際に前記ヒンジ部材を介して照明装置ユニットが前記レールに沿って移動することが可能なことを特徴としている。
【００１５】
請求項４の発明は、前記照明装置ユニットが照明機器を備える主ケースと、この主ケースに対して伸縮移動可能に結合された可動ケースとで構成され、前記可動ケースを主ケースに対して縮小移動させることにより、その可動ケースと対向する側のかご室の側板とその可動ケースとの間に、照明装置ユニットの下方への回動範の許容範囲を拡大するための所要間隔を確保することが可能なことを特徴としている。
【００１６】
請求項５の発明は、前記照明装置ユニットが照明機器を備える主ケースと、この主ケースを伸縮移動可能に収納した保持ケースとで構成され、前記保持ケースが前記ヒンジ部材と線条体とでかご室の天井部の下に水平に支持され、前記保持ケースを主ケースと一体的に前記ヒンジ部材を支点にして前記天井部の下方に回動させてその保持ケースから主ケースを下方に伸長させて突出させること可能なことを特徴としている。
【００１７】
請求項６の発明は、前記照明装置ユニットが照明機器を備える主ケースと、この主ケースを着脱可能に収納した保持ケースとで構成され、前記保持ケースが前記ヒンジ部材と線条体とでかご室の天井部の下に水平に支持され、前記保持ケースを主ケースと一体的に前記ヒンジ部材を支点にして前記天井部の下方に回動させてその保持ケースから主ケースを取り出すことが可能なことを特徴としている。
【００１８】
請求項７の発明は、前記かご室の天井部には一方向に沿って長さの長いレールが設けられ、このレールに前記ヒンジ部材がスライド自在に結合され、前記照明装置ユニットが下方に回動する際に前記ヒンジ部材を介して照明装置ユニットが前記レールに沿って移動することが可能であるとともに、回動させた前記照明装置ユニットをその姿勢で前記長さの長いレールに沿って移動させることが可能なことを特徴としている。
【００１９】
請求項８の発明は、前記照明装置ユニットには、折り畳み可能な足場部材が挿脱可能に設けられ、照明装置ユニットを下方に回動した状態でその足場部材を引き出し、展開して作業用の足場として用いることが可能なことを特徴としている。
【発明の効果】
【００２０】
この発明によれば、照明装置ユニットの保守点検や清掃の作業の際に、かご室の天井部の上に作業員が乗り込んだり点検口を開くような危険で面倒な作業を要することなく、かご室内で容易に能率よくかつ安全にその作業を進めることができる。そして照明装置ユニットを回動させるリール機構の駆動源としてかご室の既設機器の駆動源を用いているから、別途の駆動源やその設置場所の確保が不要で、また電源の確保のための配線などの付随品が増加することもなく、したがってコストを軽減することができる。
【発明を実施するための最良の形態】
【００２１】
以下、この発明の実施形態について図１ないし図１１を参照して説明する。なお、図１２に示す従来の構成と対応する部分には同一符号を付してその重複する説明を省略する。
【００２２】
図１および図２には第１の実施形態を示してあり、かご室１の天井板４の上には既設機器である換気装置２０と隣り合うようにリール機構２４が設けられている。リール機構２４はギア群を内蔵したギアボックス２５およびこのギアボックス２５の出力軸２５ａに取り付けられたリール２７を有し、前記リール２７に線条体としてのワイヤ２８が巻き付けられている。
【００２３】
換気装置２０はファンを駆動する駆動源としてのモータ３０を備えるとともに、そのモータ３０により駆動されて回転するプーリ３１を備えている。そしてプーリ３１にその回転力を前記ギアボックス２５のギア群に伝達するベルト３２が巻き掛けられている。
【００２４】
ギアボックス２５からはコード３５が導出され、このコード３５の先端部にスイッチボックス３６が取り付けられている。スイッチボックス３６には、前記リール２７の回転方向を切替える切替えスイッチ３７や換気装置２０のモータ３０をオンオフさせる制御スイッチ３８などが設けられている。このスイッチボックス３６はかご室１の内部に引き込まれて例えばかご室操作盤の内部に挿脱自在に収納される。
【００２５】
かご室１の天井板４の下面には、前記ギアボックス２５の反対側の位置において一定の長さのレール４０がかご室１の幅方向に沿って延びるように取り付けられている。このレール４０にはヒンジ部材４１が上下方向に回動自在にかつレール４０に沿ってスライド自在に装着されている。
【００２６】
かご室１の天井板４の下には照明装置ユニット１０が設けられ、この照明装置ユニット１０はその一端側上部が前記ヒンジ部材４１に連結され、他端側上部が前記ギアボックス２５のリール２７から繰り出されたワイヤ２８の端部に連結され、そのヒンジ部材４１とワイヤ２８とで水平に支持されている。
【００２７】
そしてこの照明装置ユニット１０の一端側の側面下部には、その側面側のかご室１の側板３ａと当接可能なストッパ４３が取り付けられている。
【００２８】
照明装置ユニット１０の保守点検や清掃の際には、かご室１を建屋の任意の階に着床させ、かつそのかご室１の出入口のドア装置を開放し、かご室１内に作業員が乗り込んでかご室操作盤の内部に収納されているスイッチボックス３６を取り出す。そして、スイッチボックス３６を持ち、かご室１の外部のエレベータホールに一旦退出し、そのエレベータホールにおいてスイッチボックス３６の制御スイッチ３８を操作して換気装置２０のモータ３０を起動させる。
【００２９】
モータ３０の起動によりその動力がベルト３２を介してギアボックス２５のギア群に伝達され、リール２７が回転し、ワイヤ２８が徐々に繰り出される。ワイヤ２８の繰り出しに応じて照明装置ユニット１０がヒンジ部材４１を支点に下方に回動して斜め下方に傾斜する。そしてこの傾斜に応じて照明装置ユニット１０の側面のストッパ４３がかご室１の側板３ａに当接するが、この当接に応じる反力でヒンジ部材４１が照明装置ユニット１０と共にレール４０に沿って前記側板３ａから離れる方向に移動し、このため照明装置ユニット１０の回動動作が前記側板３ａにより規制されるようなことがなく、したがって照明装置ユニット１０を大きく回動させてその下端部をかご室１内の中間部付近にまで移行させることができる。
【００３０】
このように照明装置ユニット１０を下方に回動させた状態において、その照明装置ユニット１０に対する保守点検や清掃の作業を行なう。照明装置ユニット１０はその回動によりかご室１内の中間部付近にまで延びており、またその上下面側が開放されており、このためその保守点検や清掃などの作業を容易に能率よく行なえ、かつかご室１内での作業となるから転落の恐れがなく安全に作業を進めることができる。
【００３１】
作業の終了後には、スイッチボックス３６の切替えスイッチ３７を操作してリール２７の回転方向を逆方向に切替え、この状態で制御スイッチ３８を操作して換気装置２０のモータ３０を起動させる。これによりリール２７が逆方向に回転してワイヤ２８が徐々に巻き取られ、このワイヤ２８により照明装置ユニット１０の他端側の端部が上方に引き上げられる。すなわち照明装置ユニット１０がヒンジ部材４１を支点にして上方に回動する。
【００３２】
照明装置ユニット１０が上方に回動するときには、この照明装置ユニット１０と一体的にヒンジ部材４１がレール４０に沿って当初とは逆の方向にスライドする。そして、照明装置ユニット１０が天井板４に沿う水平状態に復帰したときにモータ３０の回転が停止し、照明装置ユニット１０が当初の通常位置に配置される。
【００３３】
照明装置ユニット１０を回動させる駆動源は、かご室１に設置されている既設の換気装置２０のモータ３０であり、このため専用の新たな駆動源を設ける必要がなく、したがってその設置の手間や設置場所の確保を不要で、既存のかご室１であっても適用することができ、またコストも軽減できる。  
なお、前記スイッチボックス３６はかご室１のかご操作盤内に収納する場合に限らず、かご室１の外部に収納するような場合であってもよい。
【００３４】
図３および図４には第２の実施形態を示してあり、この実施形態においては、照明装置ユニット１０の一端側上部がヒンジ部材４１を介してかご室１の天井板４の一定位置に回動可能に連結され、他端側上部が前記第１の実施形態の場合と同様にギアボックス２５のリール２７空繰り出されたワイヤ２８で支持されている。
【００３５】
そして照明装置ユニット１０の一端側の側面と隣り合うかご室１の側板３ａは、その上部が天井板４の縁部に係脱可能に係合する係合部４４となっており、側板３ａにかご室１の外側に向く外力が加わった際に、図４に示すようにその側板３ａの上部の係合部４４が天井板４の縁部から離脱して側板３ａの全体が外側に傾斜するようになっている。
【００３６】
この実施形態の場合には、換気装置２０のモータ３０を起動させて照明装置ユニット１０を下方に回動させたときに、照明装置ユニット１０の一端側の側面の下端縁がかご室１の側板３ａに当接することになるが、その当接による圧力で側板３ａの上部が天井板４の縁部から離脱して側板３ａが照明装置ユニット１０から離れる方向に傾斜し、このため照明装置ユニット１０の回動動作が前記側板３ａにより規制されるようなことがなく、照明装置ユニット１０を大きく回動させてその下端部をかご室１内の中間部付近にまで移行させ、照明装置ユニット１０を保守点検や清掃のし易い位置に配置させることができる。
【００３７】
そしてこの実施形態の場合には、照明装置ユニット１０をヒンジ部材４１を介して天井板４に取り付けるだけで、前記第１の実施形態の場合のように、レール４０を設けて照明装置ユニット１０をスライド可能に支持するようなスライド機構が不要となる。
【００３８】
なお、保守点検や清掃の作業が終了のちには、スイッチボックス３６を操作して照明装置ユニット１０を天井板４に沿う水平状態に復帰させるとともに、側板３ａをかご室１の内側に向けて押し戻し、その上部の係合部４４を天井板４の縁部に係合させて当初の状態に復帰させる。
【００３９】
図５および図６には第３の実施形態を示してあり、この実施形態においては、照明装置ユニット１０の照明ケース１１が主ケース１１ａと可動ケース１１ｂ，１１ｃとで構成されている。可動ケース１１ｂ，１１ｃは主ケース１１ａの両端部の開口内に摺動可能に嵌合され、主ケース１１ａに対して伸縮することができるようになっている。そして可動ケース１１ｂ，１１ｃの側面にはその伸縮動作をガイドするためのレール４５が設けられている。
【００４０】
主ケース１１ａの一端側上部はヒンジ部材４１を介してかご室１の天井板４の一定位置に回動可能に連結され、他端側上部は前記第１の実施形態の場合と同様にギアボックス２５のリール２７から繰り出されたワイヤ２８の端部に連結され、これにより照明装置ユニット１０の全体が天井板４に沿うように水平に支持されている。
【００４１】
この実施形態の場合には、保守点検や清掃の作業に際して照明装置ユニット１０を下方に回動させるときに、ヒンジ部材４１が配置する側の可動ケース１１ｂを図６に示すように主ケース１１ａの中間部側に押し込んで主ケース１１ａに対する可動ケース１１ｂの突出長さを短縮し、この状態でスイッチボックス３６を操作して照明装置ユニット１０をヒンジ部材４１を支点に下方に回動させる。
【００４２】
この際、可動ケース１１ｂの突出長さが短縮し、可動ケース１１ｂの側面がかご室１の側板３ａから大きく離れており、このため可動ケース１１ｂが側板３ａに当接することなく、つまり側板３ａに規制されることなく、照明装置ユニット１０を大きく回動させてその下端部を保守点検や清掃のし易いかご室１内の中間部付近にまで移行させることができる。
【００４３】
そしてこの実施形態の場合には、照明装置ユニット１０をヒンジ部材４１を介して天井板４の一定位置に取り付けるだけでよく、前記第１の実施形態の場合のように、レール４０を設けて照明装置ユニット１０をスライド可能に支持するようなスライド機構を不要とすることができる。
【００４４】
なお、保守点検や清掃の作業が終了のちには、スイッチボックス３６を操作して照明装置ユニット１０を天井板４に沿う水平状態に復帰させるとともに、短縮させた可動ケース１１ｂを主ケース１１ａから引出して伸長させ、かご室１の側板３ａと近接する当初の位置に戻す。
【００４５】
図５および図６に示す実施の形態では、視覚上の左右のバランスを取るために主ケース１１ａの両端部側にそれぞれ可動ケース１１ｂ，１１ｃを設けたが、実質的にはヒンジ部材４１が配置する側の可動ケース１１ｂのみを伸縮可能に構成すればよい。
【００４６】
図７および図８には第４の実施形態を示してあり、この実施形態においては照明装置ユニット１０が照明機器としての蛍光ランプ１２を備える主ケース１１ａと、この主ケース１１ａの外側に嵌合された保持ケース１１ｄとで構成されている。保持ケース１１ｄは断面コ字状をなし、この保持ケース１１ｄの内部に主ケース１１ａが摺動可能に収納され、この主ケース１１ａがその長手方向に沿って一定の範囲だけ移動し得るようになっている。そしてその移動をガイドするレール４７，４８が主ケース１１ａおよび保持ケース１１ｄに設けられている。
【００４７】
かご室１の天井板４には、第１の実施形態の場合と同様にレール４０が設けられ、主ケース１１ａの一端側上部がヒンジ部材４１を介してそのレール４０に連結され、また主ケース１１ａの他端側上部がギアボックス２５のリール２７から繰り出されたワイヤ２８の端部に連結され、そのヒンジ部材４１とワイヤ２８とで水平に支持されるようになっている。そして主ケース１１ａの一端側下部にかご室１の側板３ａに当接可能なストッパ４３が設けられている。
【００４８】
この実施形態の場合には、保守点検や清掃の作業に際して照明装置ユニット１０を下方に回動させると、図７に示すように、保持ケース１１ｄに対して主ケース１１ａが自重で下方に一定範囲だけ移動し、この移動で主ケース１１ａが保持ケース１１ｄの下方側の端部から突出してかご室１内のより下方の位置に配置し、このため主ケース１１ａに対する保守点検や清掃をより能率よく行なうことができる。
【００４９】
なお、保守点検や清掃などの作業が終了のちには、スイッチボックスを操作して照明装置ユニット１０を天井板４に沿う水平状態に復帰させるとともに、主ケース１１ａを保持ケース１１ｄの内部側に押し込んで保持ケース１１ｄ内に収納する。
【００５０】
ところで、前記主ケース１１ａを保持ケース１１ｄに対して取り出し可能に収納し、照明装置ユニット１０を下方に回動して傾斜させたときに主ケース１１ａを下方に移動させるとともに保持ケース１１ｄから取り外すことができるように構成することも可能である。
【００５１】
この場合には、主ケース１１ａを保持ケース１１ｄから取り外し、その主ケース１１ａをかご室１の水平な床面上に設置したり、あるいはかご室１の外部の例えばエレベータホールに持ち運んで保守点検や清掃の作業を行なうことができ、このためその作業をより一層容易に能率よく行なうことができる。
【００５２】
なお、この場合には、主ケース１１ａと保持ケース１１ｄとの間にロック機構を設け、照明装置ユニット１０が傾斜したときには、主ケース１１ａが保持ケース１１ｄの端部から一定の長さだけ突出し、その状態で前記ロック機構を解除することにより主ケース１１ａを保持ケース１１ｄから抜き取ることができるように構成する。
【００５３】
図９には第５の実施形態を示してあり、この実施形態においてはかご室１の天井板４の下面に長さの長いレール４０が取り付けられている。そして第１の実施形態の場合と同様に、そのレール４０に照明装置ユニット１０の一端側上部がヒンジ部材４１を介して連結され、他端側上部が前記ギアボックス２５のリール２７から繰り出されたワイヤ２８の端部に連結され、そのヒンジ部材４１とワイヤ２８とで水平に支持され、照明装置ユニット１０の保守点検や清掃の際に、スイッチボックスを操作して照明装置ユニット１０をヒンジ部材４１を支点に下方に回動させて吊下げ状態に支持することができるようになっている。
【００５４】
ここで、この実施形態では、ヒンジ部材４１が連結されたレール４０がかご室１の一方の側板３ａ寄りから他方の側板３ｂ寄りにまで延びる長尺の寸法となっており、このため吊下げ状態に支持した照明装置ユニット１０をそのレール４０に沿ってかご室１内で一方の側板３ａ寄りから他方の側板３ｂ寄りの区間で自由に移動させることができる。
【００５５】
このように照明装置ユニット１０をかご室１内で左右に移動させることにより、照明装置ユニット１０の上下面つまり吊下げられた照明装置ユニット１０の左右側の面に対する保守点検や清掃の作業をその左右側の側板３ａ，３ｂが邪魔となることなく容易に能率よく行いうことができる。
【００５６】
なお、保守点検や清掃の作業が終了のちには、スイッチボックスを操作して照明装置ユニット１０の他端部をワイヤ２８で引き上げると、ヒンジ部材４１がレール４０に沿って側板３ａ側に移動して照明装置ユニット１０が天井板４に沿う水平状態に復帰して当初の状態に戻る。
【００５７】
図１０および図１１には第６の実施形態を示してあり、この実施形態においては、照明装置ユニット１０に足場部材としての折り畳み式の脚立５０が挿脱可能に組み込まれている。脚立５０は、図１１に示すように一方向に長い桟材５１と、この桟材５１の途中に回動自在に取り付けられ、その桟材５１を支持するために使用される支柱材５２と、桟材５１に回動自在に取り付けられ、作業員が足を踏み掛けるために使用される複数のステップ材５３と、これらステップ材５３を水平に支持するための支持材５４とで構成され、前記支柱材５２、ステップ材５３、支持材５４を桟材５１に沿って重なるように折り畳むことができるようになっている。そしてその折り畳みの状態で脚立５０が照明装置ユニット１０の上部に設けられた収納レール５５に沿って収納することができるようになっている。
【００５８】
照明装置ユニット１０は、通常時には、図１０に示すように、脚立５０が収納された状態で前記第１の実施形態の場合と同様に、ヒンジ部材４１およびワイヤ２８を介してかご室１の天井板４の下に水平に支持されている。
【００５９】
照明装置ユニット１０の保守点検や清掃の際には、スイッチボックスを操作して照明装置ユニット１０をヒンジ部材４１を支点に下方に回動させて傾斜させる。そしてこのこの状態で、図１１に示すように、照明装置ユニット１０から脚立５０を下方に引き出し、桟材５１の下端をかご室１の床面２に当て、また支柱材５２を回動して斜めに傾斜させて桟材５１を支え、さらに各ステップ材５３を上方に回動し、支持材５４で水平に支持する。
【００６０】
このように脚立５０を展開して照明装置ユニット１０とかご室１の床面２との間に配置させ、この状態で作業員が脚立５０のステップ材５３に足を踏み掛け、この脚立５０を足場として照明装置ユニット１０に対する保守点検や清掃の作業を行なう。
【００６１】
この場合には、別途の足場部材を用意してかご室１内に持ち込んで設置するような面倒な準備を要することなく、前記脚立５０を用いて照明装置ユニット１０の上部側に対する保守点検や清掃などの作業を容易に能率よく行なうことができる。
【００６２】
保守点検や清掃の作業が終了のちには、脚立５０を折り畳むとともに、その脚立５０を照明装置ユニット１０の上部の収納レール５５に沿って挿入して収納し、この状態でスイッチボックスを操作して照明装置ユニット１０の他端部をワイヤ２８で引き上げ、照明装置ユニット１０を天井板４に沿う水平状態に復帰させる。
【００６３】
なお、照明装置ユニットを回動させるリール機構の駆動源としては、換気装置のモータを用いる場合に限らず、かご室に既設されている他の機器の駆動源を用いることも可能である。
【図面の簡単な説明】
【００６４】
【図１】この発明の第１の実施形態に係るかご室照明装置を示す構成図。
【図２】そのかご室照明装置の照明装置ユニットを下方に回動させた状態を示す構成図。
【図３】この発明の第２の実施形態に係るかご室照明装置を示す構成図。
【図４】そのかご室照明装置の照明装置ユニットを下方に回動させた状態を示す構成図。
【図５】この発明の第３の実施形態に係るかご室照明装置を示す構成図。
【図６】そのかご室照明装置における照明装置ユニットを示す斜視図。
【図７】この発明の第４の実施形態に係るかご室照明装置を示す構成図。
【図８】そのかご室照明装置における照明装置ユニットを示す斜視図。
【図９】この発明の第５の実施形態に係るかご室照明装置を示す構成図。
【図１０】この発明の第６の実施形態に係るかご室照明装置を示す構成図。
【図１１】そのかご室照明装置の照明装置ユニットを下方に回動させた状態を示す構成図。
【図１２】従来のかご室照明装置を示す斜視図。
【符号の説明】
【００６５】
１…かご室
３ａ．３ｂ．３ｃ…側板
４…天井板
１０…照明装置ユニット
１１…照明ケース
１１ａ…主ケース
１１ｂ…可動ケース
１１ｄ…保持ケース
１２…蛍光ランプ
２０…換気装置
２４…リール機構
２５…ギアボックス
２５ａ…出力軸
２７…リール
２８…ワイヤ
３０…モータ
３６…スイッチボックス
３７…切替えスイッチ
３８…制御スイッチ
４０…レール
４１…ヒンジ部材
４３…ストッパ
４４…係合部
５０…脚立
５１…桟材
５２…支柱材
５３…ステップ材
５４…支持材
５５…収納レール
【図１】
2007084278.tif 000003
【図２】
2007084278.tif 000004
【図３】
2007084278.tif 000005
【図４】
2007084278.tif 000006
【図５】
2007084278.tif 000007
【図６】
2007084278.tif 000008
【図７】
2007084278.tif 000009
【図８】
2007084278.tif 000010
【図９】
2007084278.tif 000011
【図１０】
2007084278.tif 000012
【図１１】
2007084278.tif 000013
【図１２】
2007084278.tif 000014